(57)【要約】【課題】外部機器との接続を行なう端子を、水密性を維持するように備えた防水機能付きクレードルを提供する。【解決手段】防水機能付きクレードル１０は、クレードルキャップ１２とクレードル基部１４とから構成され、その内部にデジタルカメラ４０を収納可能としている。上面１４ａには音声／映像出力端子２０、ＵＳＢ端子２１、電源供給端子２２が設けられ、各端子はピン端子を上方から押し込むように接続可能に配置されている。クレードルキャップ１２によって水密性が維持されるクレードル基部１４の上面１４ａに、外部機器と電気的な接続を行なう端子を設けたので、端子の水密性を維持して、端子における錆の発生などの不具合を防止できる。【選択図】    図１
2004302353.tif 000002
【特許請求の範囲】
【請求項１】
デジタルカメラを収納し、該デジタルカメラと外部機器とを接続するためのクレードル基部と、該クレードル基部への装着時にクレードル内の水密性を維持させるクレードルキャップとからなり、前記クレードル基部及びクレードルキャップ内に収納された前記デジタルカメラによる撮影が可能な防水機能付きクレードルであって、
前記クレードルキャップによって水密性が維持される前記クレードル基部の上面内に、前記外部機器と接続するための端子を設けたことを特徴とする防水機能付きクレードル。
【請求項２】
前記端子は、前記クレードル基部に収納されたデジタルカメラとの間で双方向通信するための通信用端子、前記クレードル基部に収納されたデジタルカメラに電源を供給するための電源供給端子、及び前記クレードル基部に収納されたデジタルカメラから音声／映像信号を出力するための音声／映像出力端子のうちの少なくとも１つの端子であることを特徴とする請求項１に記載された防水機能付きクレードル。
【請求項３】
前記端子は、前記外部機器からの端子を前記クレードル基部の上方から押し込んで接続可能に配置されたことを特徴とする請求項１または請求項２に記載された防水機能付きクレードル。
【請求項４】
前記クレードルキャップには、前記デジタルカメラへの電力供給が可能なバッテリを備えていることを特徴とする請求項１ないしは請求項３のいずれか１に記載された防水機能付きクレードル。
【発明の詳細な説明】
【０００１】
【発明の属する技術分野】
本発明は防水機能付きクレードルに係り、特に、デジタルカメラに装着される防水機能付きクレードルに関する。
【０００２】
【従来の技術】
従来のカメラに用いられる防水カメラハウジングとしては、例えばカメラに外装されて取り付けられることで、当該カメラの防水機能、すなわち水密性が維持されるものが知られている（例えば特許文献１参照）。また、これら防水カメラハウジングは周知の如く、市場で販売などが既に行われている。
【０００３】
【特許文献１】
特開２０００−２４１８６５号公報
【０００４】
【発明が解決しようとする課題】
しかし、前述したような防水カメラハウジングは、カメラとは別にユーザーが新たに購入しなければならず、ユーザーに負担させるコストが高くなる欠点があった。
【０００５】
一方、デジタルカメラの載置台として用いられる従来のクレードルには、外部電源からデジタルカメラに電源を供給してデジタルカメラの内蔵バッテリに充電を行わせる電源供給端子や、カメラとパソコンとの通信を行わせる通信用端子などが設けられている。
【０００６】
このクレードルに、前述した防水カメラハウジングとしての防水機能を持たせることで、クレードル機能（電源供給／通信）および、防水機能を同時に備えた防水機能付きクレードルが想定できるが、クレードル機能を備えるためには前述したように外部機器と電気的な接続を行う端子が必要であり、これら端子を水密性を伴わない部分に設けたのでは、例えば端子に水分が接触して錆が発生し、接触不良などの不具合が生じる。
【０００７】
本発明は上記点を鑑みてなされたものであり、外部機器との接続を行なう端子を、水密性を維持するように備えた防水機能付きクレードルを提供することを目的とする。
【０００８】
【課題を解決する為の手段】
本発明は前記目的を達成する為に、請求項１に記載の防水機能付きクレードル、デジタルカメラを収納し、該デジタルカメラと外部機器とを接続するためのクレードル基部と、該クレードル基部への装着時にクレードル内の水密性を維持させるクレードルキャップとからなり、前記クレードル基部及びクレードルキャップ内に収納された前記デジタルカメラによる撮影が可能な防水機能付きクレードルであって、前記クレードルキャップによって水密性が維持される前記クレードル基部の上面内に、前記外部機器と接続するための端子を設けたことを特徴としている。
【０００９】
本発明によれば、クレードル機能および防水機能を備えた防水機能付きクレードルによって、ユーザーが負担するコストを軽減できるとともに、クレードルキャップによって水密性が維持されるクレードル基部の上面内に、外部機器と電気的な接続を行なう端子を設けたので、端子の水密性を維持して、端子における錆の発生などの不具合を防止できる。
【００１０】
また、請求項２に記載の発明によれば、この端子は、クレードル基部に収納されたデジタルカメラとの間で双方向通信するための通信用端子、クレードル基部に収納されたデジタルカメラに電源を供給するための電源供給端子、クレードル基部に収納されたデジタルカメラから音声／映像信号を出力するための音声／映像出力端子のうちの少なくとも１つの端子を備えている。これにより、双方向通信や電源供給などを可能とした防水機能付きクレードルを提供できる。
【００１１】
さらに、請求項３に記載の発明によれば、この端子は、外部機器からの端子をクレードル基部の上方から押し込んで接続可能に配置されているので、端子の接続作業が煩雑とならずに行える。
【００１２】
さらに、請求項４に記載された発明によれば、クレードルキャップには、デジタルカメラへの電力供給が可能なバッテリを備えているので、バッテリからデジタルカメラに電力を供給させて、デジタルカメラの連続使用時間を延長できる。
【００１３】
【発明の実施の形態】
以下、添付図面に従って、本発明に係る防水機能付きクレードルの好ましい実施の形態について詳説する。図１は、本発明の実施の形態に係る防水機能付きクレードル１０とデジタルカメラ４０を示す斜視図である。
【００１４】
デジタルカメラ４０において、符号４２はカメラ筐体を示し、以下、４４はレンズバリア、４６はシャッタボタン、４７はモードダイアル、４８はポップアップ式ストロボ、５０はファインダである。
【００１５】
カメラ筐体４２の正面には、略円筒状に形成されたレンズバリア４４が取り付けられている。レンズバリア４４の内部には複数のレンズ（不図示）が設けられるとともに、これらレンズの結像位置には不図示のＣＣＤが配設され、このＣＣＤによって被写体が撮像される。これらレンズは内蔵モータ（不図示）などによってレンズ間の距離を変化するように駆動可能で、これにより、被写体に対する焦点距離や倍率を変化調整可能としている。なお、ＣＣＤによって撮像された被写体の光学像は不図示の画像処理基板によって電子画像データ、すなわちデジタルデータに変換され、得られたデジタルデータはメディアスロット内の不図示のスマートメディア（記録媒体）に書き込まれて記録される。符号６４は、このスマートメディアをカメラ筐体４２の内部に収納するためのメディアスロットのカバー（スロットカバー）である。また、必要に応じてセルフタイマーランプ５２、ストロボ調光センサ５８、マイク６０などがカメラ筐体４２の正面に設けられている。
【００１６】
図２において、カメラ筐体４２の背面には、符号６９としてファインダ、符号７１として電源ボタン、符号７３として十字ボタン７２，７２…から構成されたカーソルスイッチ、符号７４として液晶モニタ、符号７５としてモード切替スイッチなどが設けられている。電源ボタン７１は押圧することで電源オン／オフを、また、モード切替スイッチ７５は撮影モード／再生モードを夫々切り換えるための操作手段である。カーソルスイッチ７３における十字ボタン７２，７２…は左、右、上、下の四方向の指示を入力可能な多機能操作部であり、左キー及び右キーは、それぞれ再生モード時に１コマ逆送りボタン、１コマ順送りボタンなどとして機能し、上キー及び下キーは、撮影時の電子ズーム機能における倍率調整用のズームキーとして用いられる。また、液晶モニタ７４に表示されるメニュー画面からメニュー項目を選択したり、各メニューにおける各種設定項目の選択を指示する操作ボタンとしても機能する。
【００１７】
液晶モニタ７４には撮影する直前、もしくは撮影した画像などが表示され、撮影時に画角確認用の電子ファインダとして使用できるとともに、撮影した画像のプレビュー画や、スマートメディアから読み出した再生画像などを表示することができる。また、メニュー画面や各メニューにおける各種設定項目も液晶モニタ７４によって表示される。さらに、液晶モニタ７４には、撮影可能コマ数や再生コマ番号の表示、マクロモード表示、記録画質表示、画素数表示などの情報も表示される。
【００１８】
図１に示すように、カメラ筐体４２の下面には、後述するクレードル基部１４のコネクタ１８と、電気的な接続を行うためのコネクタ（以下、カメラコネクタと言う）６２が設けられている。また、カメラ筐体４２の内部には、カメラコネクタ６２を介して供給される電力によって充電可能なバッテリ（不図示）が設けられており、このバッテリからデジタルカメラ４０の各機器に電力が供給される。さらに、カメラ筐体４２の内部には、このほかにもデジタルカメラ４０を総合的に制御する制御基板（不図示）などが設けられている。
【００１９】
図１に示すように防水機能付きクレードル１０は、主としてクレードルキャップ１２とクレードル基部１４とから構成され、その内部にデジタルカメラ４０を収納可能としている。
【００２０】
クレードル基部１４には、デジタルカメラ４０を載置する壁部１５からなる装着部（以下、カメラ装着部という）１６が形成されている。このカメラ装着部１６の底部には、デジタルカメラ４０とカメラコネクタ６２を介して電気的な接続を行うためのコネクタ（以下、クレードルコネクタという）１８が設けられている。ここで、クレードルコネクタ１８およびカメラコネクタ６２は、電力供給端子と通信用端子、および電源供給端子などの信号伝達端子が一つのコネクタにまとめられた複合端子で構成されているものである。なお、本実施の形態で用いられる通信用端子、すなわち通信インターフェースは、例えばＵＳＢ、ＩｒＤＡ、ＩＥＥＥ１３９４その他のシリアルインターフェースやパラレルインターフェースなどを適用できるが、本実施の形態では例えばＵＳＢインターフェースが適用されているものとする。
【００２１】
壁部１５の内周形状は、デジタルカメラ４０のカメラ筐体４２における下部の外周形状と略一致しており、図１の上方から矢印Ａに沿ってデジタルカメラ４０をカメラ装着部１６に挿入すると、その挿入動作に連動してカメラコネクタ６２がクレードルコネクタ１８に連結され、両者が電気的に接続されるとともに、壁部１５によってデジタルカメラ４０の下部がホールドされる。
【００２２】
クレードル基部１４の上面１４ａには、パッキン溝１７が上面１４ａの淵部に近接するように配置形成されている。このパッキン溝１７にはパッキンシールリング１９がはめ込まれている。パッキンシールリング１９は、クレードル基部１４へのクレードルキャップ１２の装着時に（図３参照）、カメラ装着部１６の内部の水密性を維持するために設けられているものであり、パッキンシールリング１９が上面１４ａに対して、その上部をやや突出するように取り付けられている。なお、このパッキンシールリング１９としては、その断面がＯ形状に形成され、ゴムなどの弾性体からなるＯリングなどが挙げられるが、これ以外にもＯリングと同様の効果が得られる軟質樹脂材で形成されたパッキンシール部材を用いてもよい。
【００２３】
上面１４ａにおいて、クレードルキャップ１２によって水密性が維持される部分、すなわちパッキン溝１７の内側には、音声／映像出力（Ａ／  Ｖ  ＯＵＴ）端子２０、通信用端子を構成するデジタル（ＵＳＢ）端子２１、電源供給端子２２が夫々設けられ、各端子は前述したクレードルコネクタ１８と不図示の回路で接続されている。また、これら各端子は、図２に示すように各端子に対応したピン端子を上方から押し込んで接続可能に配置されている。すなわち、ＵＳＢ端子２１にはＵＳＢコード８５の通信用ピン端子８５ａが上方から押し込むように接続される。また、電源供給端子２２には、プラグ８７を有した電源コード７０の電源用ピン端子７０ａが上方から押し込むように接続される。さらに、音声／映像出力（Ａ／  Ｖ  ＯＵＴ）端子２０にも、音声／映像出力ピン端子２０ａが上方から押し込むように接続される。
【００２４】
図１において、デジタルカメラ４０を上方から覆うクレードルキャップ１２には、壁部３０からなるカメラキャップ部３１が形成されている。壁部３０の内周形状はデジタルカメラ４０のカメラ筐体４２における上部の外周形状と略一致している。
【００２５】
クレードルキャップ１２の前面には、デジタルカメラ４０のレンズバリア４４に対向する位置（図３参照）に、保護ガラス１３が水密性をもって固定されている。この保護ガラス１３とクレードルキャップ１２との間には不図示のパッキンシールリングが配置され、保護ガラス１３は、クレードルキャップ１２に固定された押え部材（不図示）によって当該パッキンシールリングに押し付けられて固定されている。なお、クレードルキャップ１２の前面には、デジタルカメラ４０のポップアップ式ストロボ４８およびストロボ調光センサ５８の夫々に対向する位置に、発光窓２３及び調光窓２５が設けられており、これらも保護ガラス１３と略同様の構造を持って水密性が維持されている。なお、ポップアップ式ストロボ４８に代えて、クレードルキャップ１２の上部にストロボ装置やストロボ調光センサ（双方不図示）を別途設けてもよい。
【００２６】
クレードルキャップ１２の上部には、デジタルカメラ４０のシャッタボタン４６に対向する位置にシャッタ操作のためのシャッタボタン（以下、クレードルシャッタボタンと言う）３７が設けられている。このクレードルシャッタボタン３７は筒状体で形成され、クレードルキャップ１２に形成された筒孔３７ａに嵌挿されている。これにより、デジタルカメラ４０をクレードルキャップ１２の内部に収納した際に、シャッタボタン４６にクレードルシャッタボタン３７の下部が当接し、クレードルシャッタボタン３７を押圧することで、シャッタボタン４６が連動して押し込まれる構成となっている。なお、クレードルシャッタボタン３７には不図示のパッキンシールリングなどが設けられ、クレードルシャッタボタン３７と筒孔３７ａ間の水密性が維持されている。
【００２７】
クレードルキャップ１２の下面１２ａには、パッキン溝３４が下面１２ａの淵部に近接するように配置形成されている。このパッキン溝３４にもパッキンシールリング３６がはめ込まれている。パッキンシールリング３６は、クレードル基部１４へのクレードルキャップ１２の装着時に（図３参照）、カメラキャップ部３１の水密性を維持するために設けられており、パッキンシールリング３６が下面１２ａに対して、その下部をやや突出するように取り付けられている。
【００２８】
このような構成のパッキンシールリング３６および、前述したクレードル基部１４のパッキンシールリング１９によって、クレードル基部１４へのクレードルキャップ１２の装着時に、クレードルキャップ１２ａ下面に設けられたパッキンシールリング３６と、クレードル基部１４の上面１４ａに設けられたパッキンシールリング１９とが隙間なく密着される構成となっている。なお、この装着時においては、必ずしも夫々のパッキンシールリング１９，３６同士が密着することに限らず、例えばクレードルキャップ１２の下面１２ａとクレードル基部１４の上面１４ａに、パッキンシールリング１９，３６が夫々隙間なく密着される構成としてもよい。また、パッキンシールリング３６としては、前述したパッキンシールリング１９と同様に、Ｏリングなどのほか、Ｏリングと同様の効果が得られる軟質樹脂材で形成されたパッキンシール部材を用いてもよい。
【００２９】
クレードルキャップ１２にはその内部に、デジタルカメラ４０に電力を供給させるバッテリ８０，８０が内蔵されている。また、電力供給コネクタ３３がクレードルキャップ１２の下面１２ａから突出するように設けられ、クレードルキャップ１２をクレードル基部１４に装着させた際に、電力供給コネクタ３３がクレードル基部１４の電源供給端子２２に接続される。この電力供給コネクタ３３はバッテリ８０，８０と不図示の回線を介して接続されており、バッテリ８０，８０から供給される電力を、電源供給端子２２を介してデジタルカメラ４０に供給できる。なお、クレードルキャップ１２の側面には、パッキンシールリングなどを有して水密性が維持された電池蓋８１が設けられ、この電池蓋８１を開閉することでバッテリ８０を交換できる。
【００３０】
図２に示したように、クレードル基部１４の背面には、デジタルカメラ４０の背面に設けられた液晶モニタ７４を透視するための透明窓部８２が設けられ（図４参照）、前述した保護ガラス１３と同様に水密性を持って固定されている。また、クレードルキャップ１２の背面の上部には、ファインダ６９に対向する位置にファインダ９１（以下、クレードルファインダと言う）が、同じく水密性を保つように設けられ、クレードルファインダ９１を介してファインダ６９にて被写体を確認できる。さらに、クレードルキャップ１２の背面には、電源スイッチ操作ボタン８４、モード切替スイッチ操作ボタン８６などが設けられ、デジタルカメラ４０の電源ボタン７１やモード切替スイッチ７５に対向する位置に夫々配置されている。これら電源スイッチ操作ボタン８４、モード切替スイッチ操作ボタン８６を操作することで、電源ボタン７１やモード切替スイッチ７５を連動して操作でき、これにより、クレードルキャップ１２およびクレードル基部１４を開成することなくデジタルカメラ４０の電源がオン／オフでき、また、モードの切り替え操作が可能である。また、十字ボタン７２，７２…に対向する位置には十字ボタン（以下、クレードル十字ボタンと言う）７６，７６…が設けられており、クレードル十字ボタン７６，７６…によって十字ボタン７２，７２…を連動して操作できる。なお、これら電源スイッチ操作ボタン８４、モード切替スイッチ操作ボタン８６、クレードル十字ボタン７６，７６…も、夫々水密性を維持するようにクレードルキャップ１２の背面に取り付けられている。
【００３１】
図２において、クレードルキャップ１２の下部にはフック８８，８８…が設けられている。また、クレードル基部１４の側面上部には、フック８８，８８…に相当する位置にフック８８が係合されるヒンジ８９，８９…が設けられている。フック８８は、不図示の軸ピンにより防水機能付きクレードル１０に対して開閉自在に配設されており、クレードル基部１４へのクレードルキャップ１２の装着時に、図３に示すようにフック８８，８８…をヒンジ８９，８９…と係合させることで、クレードルキャップ１２とクレードル基部１４との装着を強固にロックでき、これによりカメラ装着部１６およびカメラキャップ部３１の水密性を確実に維持できる。なお、フック８８とヒンジ８９との係合を解除すれば、当該ロックを解除して、クレードルキャップ１２とクレードル基部１４とを開成できる。
【００３２】
防水機能付きクレードル１０の壁面１５，３０には、発泡スチロールやウレタンなどからなる不図示の衝撃保護部材が設けられており、デジタルカメラ４０を外部の衝撃から保護して、デジタルカメラ４０の損傷を防止している。
【００３３】
このように構成された防水機能付きクレードル１０の内部にデジタルカメラ４０を収納することで、デジタルカメラ４０に対して水密性が維持される構成となっている。また、クレードル基部１４およびクレードルキャップ１２に設けられた保護ガラス１３や各種ボタンなどの各機器によって、防水機能付きクレードル１０の内部にデジタルカメラ４０を収納したままでも、デジタルカメラ４０を操作して、デジタルカメラ４０による撮影を可能としている。
【００３４】
次に、上記の如く構成された防水機能付きクレードル１０の作用について説明する。
【００３５】
防水機能付きクレードル１０にデジタルカメラ４０を収納する場合には、図１において、矢印Ａに沿ってデジタルカメラ４０の下部をクレードル基部１４に挿入した後、矢印Ｂに沿ってデジタルカメラ４０の上部にクレードルキャップ１２のカメラキャップ部３１を装着させる。壁部１５，３０によってデジタルカメラ４０がホールドされるとともに、クレードル基部１４の上面１４ａとクレードルキャップ１２の下面１２ａとが密着される。この後、図３または図４に示すようにフック８８をヒンジ８９にて係合させてロックさせる。デジタルカメラ４０は、壁面１５，３０に設けられた衝撃保護部材によって保持されているため、防水機能付きクレードル１０内でガタつくことがない。
【００３６】
撮影時には、図４に示すようにクレードルキャップ１２の背面に設けられた電源スイッチ操作ボタン８４を押圧することで電源スイッチ７１が連動して押圧され（図２参照）、デジタルカメラ４０の電源をオン／オフできる。また、モード切替スイッチ操作ボタン８６を操作することでモード切替スイッチ７５が連動して操作され、撮影モード／再生モードの選択が可能である。さらに、液晶モニタ７４に表示される画像は、透明窓部８２によって透視できる。撮影者は液晶モニタ７４（またはクレードルファインダ９１）によって被写体を捕らえ、被写体を撮影範囲に収めるように防水機能付きクレードル１０を操作（フレーミング）し、クレードルシャッタボタン３７を押圧することにより撮影が行われる。図３に示すように保護ガラス１３を介して、レンズバリア４４の内部のレンズに結像された被写体像が撮像され、ＣＣＤにて撮像された被写体の光学像はデジタルデータとしてスマートメディアに書き込まれて記録される。
【００３７】
防水機能付きクレードル１０にデジタルカメラ４０が収納されている場合には、クレードル基部１４の電源供給端子２２に電力供給コネクタ３３が接続され、防水機能付きクレードル１０に内蔵されたバッテリ８０，８０によってデジタルカメラ４０に電力が供給されており、デジタルカメラ４０による長時間の間欠撮影を可能として、連続使用時間を延長できる。
【００３８】
なお、フック８８とヒンジ８９との係合を解除すれば、当該ロックを解除して、クレードルキャップ１２とクレードル基部１４とを開成でき、これによりデジタルカメラ４０が回収できる。
【００３９】
外部電源を用いてデジタルカメラ４０内部のバッテリの充電を行なうためには、はじめにデジタルカメラ４０をクレードル基部１４に収納しておき、図２に示すように、電源供給端子２２に電源コード７０の電源用ピン端子７０ａを上方から押し込んで接続させる。この後、プラグ８７をコンセントなどの外部電源に接続すれば、電源供給端子２２を介してデジタルカメラ４０に外部電源から電力が供給され、デジタルカメラ４０内のバッテリに充電が行われる。また、デジタルカメラ４０と外部機器とで双方向通信を行う場合には、ＵＳＢ端子２１にＵＳＢコード８５の通信用ピン端子８５ａを接続すれば、デジタルカメラ４０と外部機器とでデジタルデータの送受信が行える。さらに、音声／映像出力端子２０に音声／映像出力ピン端子２０ａを接続すれば、デジタルカメラ４０で撮影されたデジタルデータを音声／映像出力端子２０を介して、たとえばビデオデッキなどの外部機器に転送できる。特に、クレードル基部１４の上面１４ａに設けられた各端子は、各ピン端子を上方から押し込むように接続可能に配置されており、各端子の接続作業が煩雑となることがない。また、これら端子がパッキンシールリングの内側に設けられることで、水分から端子を保護して端子における錆の発生を防止できる。
【００４０】
このように、本発明の実施の形態にかかる防水機能付きクレードル１０によれば、クレードル機能および防水機能を備えた防水機能付きクレードルによって、防水カメラハウジングを新たに購入する必要がなく、ユーザーの負担コストを軽減できるとともに、クレードルキャップ１２によって水密性が維持されるクレードル基部１４の上面内に、外部機器と電気的な接続を行なう端子を設けたので、端子の水密性を維持して、端子における錆の発生などの不具合を防止できる。
【００４１】
また、これら端子はＵＳＢ端子２１、電源供給端子２２、音声／映像出力端子２０のうちの少なくとも１つの端子を備えているので、双方向通信や電源供給などを可能とした防水機能付きクレードルを提供できる。
【００４２】
また、ＵＳＢ端子２１、電源供給端子２２、音声／映像出力端子２０は、通信用ピン端子８５ａ、電源用ピン端子７０ａ、音声／映像出力ピン端子２０ａが夫々上方から押し込まれるように接続されるので、これら端子の接続作業が煩雑とならない。
【００４３】
さらに、クレードルキャップ１２には、デジタルカメラ４０への電力供給が可能なバッテリ８０，８０を備えているので、バッテリ８０，８０からデジタルカメラ４０に電力を供給させて、デジタルカメラ４０の連続使用時間を延長できる。
【００４４】
なお、前述した実施の形態に示した防水機能付きクレードル１０の構成は、前記実施の形態に限定されるものではない。
【００４５】
例えば、防水機能付きクレードル１０の内側で、保護ガラス１３とレンズバリア４４の間に、ワイドコンバージョンレンズ（ＮＤフィルタ、ＵＶフィルタ、特殊効果フィルタなどでもよい）を着脱自在に取り付ければ、通常の撮影よりもワイド撮影が可能になる。
【００４６】
また、本実施の形態においては、デジタルカメラ４０を例として用いて説明したが、これに限らず、レンズ交換が可能なレフレックスデジタルカメラ（一眼レフデジタルカメラ）やコンパクトカメラなどにも本発明を適用できる。また、カメラ収納部に収納されるカメラは、デジタルカメラに限らず、銀塩カメラでもよいことは言うまでもない。
【００４７】
【発明の効果】
以上、説明したように本発明に係る防水機能付きクレードルによれば、クレードル機能および防水機能を備えた防水機能付きクレードルによって、ユーザーが負担するコストを軽減できるとともに、クレードルキャップによって水密性が維持されるクレードル基部の上面内に、外部機器と電気的な接続を行なう端子を設けたので、端子の水密性を維持して、端子における錆の発生などの不具合を防止できる。
【図面の簡単な説明】
【図１】本発明の実施の形態に係る防水機能付きクレードルの外観を示す斜視図
【図２】本発明の実施の形態に係る防水機能付きクレードルの外観の背面を示す斜視図
【図３】本発明の実施の形態に係る防水機能付きクレードルの作用を示す斜視図
【図４】本発明の実施の形態に係る防水機能付きクレードルの背面における作用を示す斜視図
【符号の説明】
１０…防水機能付きクレードル、１２…クレードルキャップ、１３…保護ガラス、１４…クレードル基部、１４ａ…上面、２０…音声／映像出力端子、２１…ＵＳＢ端子、２２…電源供給端子、４０…デジタルカメラ
【図１】
2004302353.tif 000003
【図２】
2004302353.tif 000004
【図３】
2004302353.tif 000005
【図４】
2004302353.tif 000006